(57)【要約】【課題】液中に含まれる物質の粒径に合わせ、メッシュ等のグレードが変わったフィルターに交換することなく、一つのフィルターで、色々な濾過対象物に対応できるフィルターを提供する。【解決手段】複数本の支柱２と、複数枚の羽１と、ハンドル３とを備えて構成されるフィルターであって、複数本の前記支柱は多面柱の辺をなす位置に配置されており、複数本の前記羽は短冊状かつ円弧状の形状を有しており、複数本のこれら羽１は、複数本の前記支柱２に対して垂直にかつ自転可能に取り付けられて、ブラインド状の構造を形成しており、前記ハンドル３は、複数本の前記羽１を、それぞれ、自転させる機能を有するものであり、前記ハンドル３を回転させることにより、複数本の前記羽１の間のスリット幅７を調整できることを特徴とするスリット幅調整フィルター２０。【選択図】図１
2014217807.tif 000002
【特許請求の範囲】
【請求項１】
複数本の支柱と、複数本の羽と、ハンドルとを備えて構成されるフィルターであって、
複数本の前記支柱は多面柱の辺をなす位置に配置されており、
複数本の前記羽は短冊状かつ円弧状の形状を有しており、
複数本の前記羽は、複数本の前記支柱に対して垂直にかつ自転可能に取り付けられて、ブラインド状の構造を形成しており、
前記ハンドルは、複数本の前記羽を、それぞれ、自転させる機能を有するものであり、
前記ハンドルを回転させることにより、複数本の前記羽の間のスリットの幅を調整できることを特徴とするスリット幅調整フィルター。
【請求項２】
複数本の前記羽が、剛性の高い金属あるいは非金属の板状の部材であることを特徴とする請求項１に記載のスリット幅調整フィルター。
【発明の詳細な説明】
【技術分野】
【０００１】
液中に含まれる濾過対象物の粒径に合わせて、効率的なスリット幅に、調整可能なスリット幅調整フィルターに関する。
【背景技術】
【０００２】
物質を分離する方法として代表的な例に、濾過が挙げられる。細かい孔若しくはスリットを持つフィルターに液体を通すことで液中の物質を捕捉する。
【０００３】
使用されるフィルターの材質には、ナイロンや樹脂、金属等があり、目詰まりなどにより定期的に交換やメンテナンスが必要となるため、コストの点で問題となる。
【０００４】
フィルターの交換が不要で洗浄によって何度も使用できるフィルターとして、バネフィルター２１が提案されている（特許文献１）。
【０００５】
図１４は、バネフィルター２１の構成を示した概念図であり、金属線を螺旋状に巻いた構造であり、表面に濾過助材１２がプリコーとされ、外側から、吸い込まれると、図１５に示すように、バネの隙間に濾過対象物１１が挟まり浄化された液体がバネ内側に送られる構造を持ち、バネ間及び濾過助材１２間の僅かな隙間がフィルターの役割を果たし、濾過対象物を含む液を濾過することで、フィルターに形成された濾過助材１２上に、濾過対象物１１が捕捉される。
【０００６】
液中に貴金属粒子（数十μｍ）が含まれ、その濾過対象物１１を回収するとき、バネフィルター２１に濾過助材１２として、珪藻土等を堆積させフィルターを使用することがある。
【０００７】
図１６は、逆洗浄工程を示しており、濾過後、補足された貴金属粒子を回収するときは、液を濾過時と逆方向（フィルターの内から外）へ流すことにより、濾過助材１２ごと、ばねフィルターから剥がす（以下、逆洗浄）ための液で、濾過対象物１１を回収する。
【０００８】
しかし濾過対象物１１のままでは売却できないため、濾過対象物１１のみを精錬する工程が必要となる。その工程において回収する液量が多くなると、精錬のコストが高くなってしまう。
【０００９】
また交換が必要なフィルターを使用するときには、例えば液中に含まれる物質の粒径が異なると異なる大きさの孔若しくはスリットを持つフィルターに変えなければならず、数種類のフィルターを使用することとなり、さらにランニングコストがかかってしまう。
【先行技術文献】
【特許文献】
【００１０】
【特許文献１】特開平１１−３４２３０９号公報
【発明の概要】
【発明が解決しようとする課題】
【００１１】
液中に含まれる物質の粒径に合わせ、メッシュ等のグレードが変わったフィルターに交換することなく、一つのフィルターで、色々な濾過対象物に対応できるフィルターを提供する。
【課題を解決するための手段】
【００１２】
上記の課題を解決するための手段として、請求項１に記載の発明は、複数本の支柱と、複数本の羽と、ハンドルとを備えて構成されるフィルターであって、
複数本の前記支柱は多面柱の辺をなす位置に配置されており、
複数本の前記羽は短冊状かつ円弧状の形状を有しており、
複数本の前記羽は、複数本の前記支柱に対して垂直にかつ自転可能に取り付けられて、ブラインド状の構造を形成しており、
前記ハンドルは、複数本の前記羽を、それぞれ、自転させる機能を有するものであり、
前記ハンドルを回転させることにより、複数本の前記羽の間のスリットの幅を調整できることを特徴とするスリット幅調整フィルターである。
【００１３】
また、請求項２に記載の発明は、複数本の前記羽が、剛性の高い金属あるいは非金属の板状の部材であることを特徴とする請求項１に記載のスリット幅調整フィルターである。
【発明の効果】
【００１４】
逆洗浄及びフィルター洗浄時に、スリット幅を広くすることが可能なため使用する液量削減が可能で、液中の物質を回収するときに、逆洗浄時の液量が削減されることで、回収コストも削減できる。
【図面の簡単な説明】
【００１５】
【図１】本発明のスリット幅調整フィルターの外観を示した概念図である。
【図２】本発明の短冊形でかつ円弧状でかつ端部にピンが取り付けられて羽を示した概念図である。
【図３】羽の形状が平板の場合における液の流れを示した概念図である。
【図４】羽の形状が円弧状（曲板）の場合における液の流れを示した概念図である。
【図５】本発明のフィルターにおける、ハンドルの動きと、羽部の動きを示した詳細概念図である。
【図６】本発明の連結部材の連結部を示した詳細概念図である。
【図７】本発明の連結部材に取り付けられたハンドルを回転させたときの羽の動きと、羽と羽が形成するスリット幅の変化を示した概念図である。
【図８】本発明のフィルターを用い、濾過対象物の濾過・回収のフローを示した概念図である。
【図９】径の小さな濾過対象物の場合の、羽とスリット幅の関係を示した概念図である。
【図１０】径の大きな濾過対象物の場合の、羽とスリット幅の関係を示した概念図である。
【図１１】本発明のフィルターに、濾過助剤をプリコートした状態を示した概念図である。
【図１２】本発明のフィルターに、濾過助剤をプリコートし、濾過対象物を濾過した状態を示した概念図である。
【図１３】本発明のフィルターの、羽と羽の隙間を広げ、逆洗浄したときの、濾過対象物の動きを示した概念図である。
【図１４】ばねフィルターに、濾過助剤をプリコートした状態を示した概念図である。
【図１５】ばねフィルターに、濾過助剤をプリコートし、濾過対象物を濾過した状態を示した概念図である。
【図１６】ばねフィルターのばねの隙間を広げ、逆洗浄したときの、濾過対象物の動きを示した概念図である。
【発明を実施するための形態】
【００１６】
以下本発明を実施するための形態を、図面を用いて詳細に説明する。図１は、スリット
幅調整フィルター２０の外観を示しており、フィルター本体の大きさは、例えば５００ｍｍ角ほどの小型のもので、直方体様の上面と底面とを結ぶ４つの辺部に支柱２が設けられており、前記直方体様の側面を形成するように、複数の羽１が設けられ、フィルターハウジング１６に収納されている。
【００１７】
図２は、羽１の形状を示しており、短冊形でかつ円弧状でかつ端部にピン６が取り付けられている。尚、円弧状の形状は、逆洗浄の際に液を効率良く流す働きをする。
【００１８】
羽１の材質は剛性があり、錆びない金属（ステンレス等）または非金属（セラミック、炭素材料、樹脂等）を使用できる。
【００１９】
図３は、羽１の形状が平板の場合における液の流れを示しており、流量Ｑ（ｍ３）、密度ρ（ｋｇ／ｍ３）、流速ｖ（ｍ／ｓ）でフィルター内部より液が流れてくるときを考えると、羽１が平板の場合、流れてきた流量Ｑ（ｍ３）の液が羽１に衝突した後Ｑ１（ｍ３）Ｑ２（ｍ３）のように二手に分かれて流れる。
Ｑ（ｍ３）＝Ｑ１（ｍ３）＋Ｑ２（ｍ３）
Ｑ１（ｍ３）＝（１＋ｃｏｓθ）Ｑ（ｍ３）／２
Ｑ２（ｍ３）＝（１−ｃｏｓθ）Ｑ（ｍ３）／２
Ｑ（ｍ３）＞Ｑ１（ｍ３）である。
【００２０】
つまりスリットを通る液の流量が小さくなり、羽１で捕捉した物質や堆積させた濾過助剤を押し出す液が減少する。例えばθ＝６０°とすると、流量の比はＱ１：Ｑ２＝３：１となり、フィルター外部へ押し出される液は、もともとの流量Ｑ（ｍ３）の約３／４の流量に減少してしまう。一方、羽１を円弧状（曲板）にすることで液の分岐による損失を低減することが可能である。
【００２１】
図５は、フィルターの羽部を示しており、羽１は、支柱２に取り付けた連結部材５で連結され、羽１と連結部材５をつなぐピン６は連結部材側で、上部のハンドル３の回転に合わせ、回転する機構である。
【００２２】
連結部材はボールネジのような機構を持ち、ハンドルを回すこと、回転をピンの回転に変更することができる。
【００２３】
もう一方の支柱には、ピンを保持する穴が形成されており、短冊状かつ円弧状の羽の側面に設けたピン６が挿入されている。即ち、羽１の一方は、図６に示すようにボールネジ構造を持ち、ハンドル３の回転により、短冊状かつ円弧状の羽１がピン６を中心に左回転または右回転させる連結部材５が取り付けられており、もう一方の支柱２には、短冊状かつ円弧状の羽１が自由に回転できるようにピン６にて連結されている。
【００２４】
図７は、連結部材５に取り付けられたハンドル３を回転させたときの羽１の動きと、羽１と羽１が形成するスリット幅７の変化を示しており、ハンドル３を回し連結部材５で羽１が回転することによって、羽１と羽１とが形成するスリット幅７が変化する。
【００２５】
羽１が回転すると、羽１の形状が円弧状のため、羽と羽の間隙（スリット幅）を小さく調節することが可能である。さらに、本発明の機構を用いることで、フィルターの上面、底面に対してもスリット幅７の調整が可能である。
【００２６】
＜実施の形態＞
実施の形態を図８に示す。濾過対象物を含む液１３に、径の小さな物質粒子１７を含む液を、本発明のスリット幅調整フィルター２０にて濾過を行う。濾過後、フィルターより捕捉した物質を別の容器に回収する。
【００２７】
液中の物質の径が異なる場合は、スリット幅を狭くし、径が大きい濾過対象物１８が混在している場合はスリット幅７を大きくすることでそれぞれの物質径に対し、フィルターの交換が不要で濾過を行うことが可能である。
【００２８】
液中の物質の濾過及び回収する場合は、スリット幅７を調整したフィルターに濾過助材１２を堆積させる。形成されたフィルターで物質を含む液をろ過し、液中の濾過対象物１１（例えば、数十μｍの粒子）をフィルター上に捕捉する。
【００２９】
濾過終了後、捕捉した粒子の回収のためフィルターの羽１を動かし、堆積した濾過助材１２及び粒子をふるい落とす。さらにフィルター内から外へ液を流し、逆洗浄を行うことでフィルターの目に詰まっている濾過助材１２及び捕捉した粒子を回収可能である。
【符号の説明】
【００３０】
１・・・羽
２・・・支柱
３・・・ハンドル
５・・・連結部材
６・・・ピン
７・・・スリット幅
８・・・フィルター上面
９・・・フィルター底面
１０・・・スリット幅調整フィルター
１１・・・濾過対象物
１２・・・濾過助剤
１３・・・濾過対象物を含む液
１４・・・濾過液
１５・・・回収した濾過対象物
１６・・・フィルターハウジング
１７・・・径の小さい濾過対象物
１８・・・径の大きい濾過対象物
２０・・・スリット幅調整フィルター
２１・・・バネフィルター
【図１】
2014217807.tif 000003
【図２】
2014217807.tif 000004
【図３】
2014217807.tif 000005
【図４】
2014217807.tif 000006
【図５】
2014217807.tif 000007
【図６】
2014217807.tif 000008
【図７】
2014217807.tif 000009
【図８】
2014217807.tif 000010
【図９】
2014217807.tif 000011
【図１０】
2014217807.tif 000012
【図１１】
2014217807.tif 000013
【図１２】
2014217807.tif 000014
【図１３】
2014217807.tif 000015
【図１４】
2014217807.tif 000016
【図１５】
2014217807.tif 000017
【図１６】
2014217807.tif 000018